(57)【要約】【課題】細線ケーブルを被覆する防水部材が破損してしまうことを防止することができる携帯端末装置を提供すること。【解決手段】防水材料で形成されたシリコンチューブが被覆された細線ケーブルが挿通される穴と、かかる細線ケーブルに取り付けられたシリコンチューブを包囲する外筒部とを有する取付部材が、ケースに設けられた通孔に取り付けられることにより、ケースの外部からケース内の基板等にケーブルが接続された携帯端末装置。【選択図】図３
2011055296.tif 000002
【特許請求の範囲】
【請求項１】
ケーブルを被覆し、防水材料で形成された防水部材と、
前記防水部材が取り付けられたケーブルが挿通され、該ケーブルに取り付けられた防水部材を包囲する外筒部を有する取付部材と、
前記取付部材が挿入される通孔が設けられたケースと
を備えたことを特徴とする携帯端末装置。
【請求項２】
前記取付部材は、前記ケーブルが挿通され、該ケーブルとともに前記防水部材によって被覆される内筒部を有し、
前記外筒部は、前記内筒部を被覆する防水部材を包囲することを特徴とする請求項１に記載の携帯端末装置。
【請求項３】
前記取付部材は、前記通孔に挿入され、環型の密封部材が嵌入される嵌入凹部が形成された挿入部を有することを特徴とする請求項１または２に記載の携帯端末装置。
【発明の詳細な説明】
【技術分野】
【０００１】
本発明は、携帯端末装置に関する。
【背景技術】
【０００２】
近年、携帯電話機等の携帯端末装置には、防水機能を有するものがある。このような防水機能付き携帯端末装置には、筐体内部や筐体内部に収納されている各部品に水等の液体が浸入しないように防水対策が施されている。以下に、開閉型（「折り畳み型」とも呼ばれる）の携帯端末装置を例に挙げて、防水対策について説明する。
【０００３】
図８は、従来の携帯電話機の正面側外観斜視図である。図８に例示した従来の携帯電話機９は、開閉型携帯電話機であり、防水機能を有するものとする。図８に示すように、従来の携帯電話機９は、操作部を備えた固定側筐体９ａと、表示部を備えた可動側筐体９ｂとを有する。固定側筐体９ａと可動側筐体９ｂとは、連結部９ｃにより折り畳み自在に連結されている。固定側筐体９ａおよび可動側筐体９ｂには、それぞれ種々の電子部品を実装した基板が収納されている。そして、双方の基板は、細線ケーブルによって接続されている。
【０００４】
図９は、図８のＤ１矢視による要部Ｘの内部構成を示す要部拡大斜視図である。図９に示した例において、固定側筐体９ａのフロントケース９１には、通孔９２が形成されている。細線ケーブル９３は、固定側筐体９ａに収納されている基板と、可動側筐体９ｂに収納されている基板とを接続する。取付部材９４は、円筒状の孔を有し、かかる孔に細線ケーブル９３が圧入されることにより、細線ケーブル９３が取り付けられる。シリコンチューブ９５は、防水材料で形成されており、細線ケーブル９３および取付部材９４を被覆している。シリコンチューブ９５が被覆された取付部材９４は、フロントケース９１の通孔９２に圧入されることにより、フロントケース９１に取り付けられる。これにより、シリコンチューブ９５が被着された細線ケーブル９３の一端は、通孔９２を挿通し、固定側筐体９ａに収納された基板に接続される。また、細線ケーブル９３の他端は、連結部９ｃの孔を挿通し、可動側筐体９ｂに収納された基板に接続される。
【０００５】
図１０は、図９のＢ１矢視によるＡ１−Ａ１線の断面図である。図１０に示すように、取付部材９４が取り付けられた細線ケーブル９３は、シリコンチューブ９５が被覆されている。そして、取付部材９４は、Ｏリング９６が嵌入されており、フロントケース９１の通孔９２に圧入されている。
【０００６】
このように、従来の携帯電話機９は、細線ケーブル９３にシリコンチューブ９５が被覆されているので、細線ケーブル９３に液体が浸入することを防止できる。また、従来の携帯電話機９は、Ｏリング９６が嵌入された取付部材９４が通孔９２に圧入されているので、通孔９２を水密に塞ぐことができる。これにより、従来の携帯電話機９は、通孔９２からフロントケース９１内へ液体が浸入することを防止できる。
【先行技術文献】
【特許文献】
【０００７】
【特許文献１】実開平５−８６０８８号公報
【特許文献２】特開平４−２５４０８９号公報
【特許文献３】特開２０００−２４５８５１号公報
【発明の概要】
【発明が解決しようとする課題】
【０００８】
しかしながら、上述した従来の携帯電話機には、細線ケーブルを被覆する防水部材が破損する場合があるという問題があった。かかる問題について、図９および図１０に示した例を用いて説明する。図９および図１０に示した例において、取付部材９４は、ピンセット等の圧入器具によって挟持された状態で、通孔９２へ圧入されることにより、フロントケース９１に取り付けられる。このときに、取付部材９４を被覆しているシリコンチューブ９５は、圧入器具からの応力によって破損する場合がある。
【０００９】
シリコンチューブ９５が破損すると、防水性を保つことができなくなるという問題を招く。例えば、シリコンチューブ９５が破損した場合には、細線ケーブル９３や、固定側筐体９ａ内の基板、可動側筐体９ｂ内の基板に水が浸入してしまう場合がある。
【００１０】
なお、保護テープを用いて防水性を確保することも考えられる。具体的には、図９および図１０に示した例のように、シリコンチューブ９５に保護テープ９７を被着することにより、シリコンチューブ９５の破損している部位を水密に塞ぐことも考えられる。しかし、保護テープを被着した場合であっても、シリコンチューブ９５が破損していることに変わりはないので、保護テープを用いた手法は、上記問題点に対する根本的な解決策にはない。
【００１１】
開示の技術は、上記に鑑みてなされたものであって、細線ケーブルを被覆する防水部材が破損してしまうことを防止することができる携帯端末装置を提供することを目的とする。
【課題を解決するための手段】
【００１２】
本願の開示する携帯端末装置は、一つの態様において、ケーブルを被覆し、防水材料で形成された防水部材と、前記防水部材が取り付けられたケーブルが挿通され、該ケーブルに取り付けられた防水部材を包囲する外筒部を有する取付部材と、前記取付部材が挿入される通孔が設けられたケースとを備える。
【発明の効果】
【００１３】
本願の開示する携帯端末装置の一つの態様によれば、ケーブルを被覆する防水部材が破損してしまうことを防止することができるという効果を奏する。
【図面の簡単な説明】
【００１４】
【図１】図１は、本実施例に係る携帯電話機の正面側外観斜視図である。
【図２】図２は、本実施例に係る携帯電話機の背面側外観斜視図である。
【図３】図３は、図１のＤ２矢視による要部Ｙの内部構成を示す要部拡大斜視図である。
【図４】図４は、図３のＢ２矢視によるＡ２−Ａ２線の断面図である。
【図５】図５は、本実施例における取付部材の外観斜視図である。
【図６】図６は、本実施例における取付部材の拡大図である。
【図７】図７は、取付部材とシリコンチューブとＯリングとの接続手順を説明するための図である。
【図８】図８は、従来の携帯電話機の正面側外観斜視図である。
【図９】図９は、図８のＤ１矢視による要部Ｘの内部構成を示す要部拡大斜視図である。
【図１０】図１０は、図９のＢ１矢視によるＡ１−Ａ１線の断面図である。
【発明を実施するための形態】
【００１５】
以下に、本願の開示する携帯端末装置の実施例を図面に基づいて詳細に説明する。なお、この実施例により本願の開示する携帯端末装置が限定されるものではない。例えば、以下の実施例では、本願の開示する携帯端末装置を携帯電話機に適用する例を示すが、本願の開示する携帯端末装置は、ＰＤＡ（Personal  Digital  Assistant）などの携帯端末装置にも適用することができる。
【実施例】
【００１６】
まず、図１および図２を用いて、本実施例に係る携帯電話機の外観について説明する。図１は、本実施例に係る携帯電話機の正面側外観斜視図であり、図２は、本実施例に係る携帯電話機の背面側外観斜視図である。
【００１７】
図１および図２に示した携帯電話機１は、防水機能を有する開閉型携帯電話機である。図１および図２に示すように、本実施例に係る携帯電話機１は、固定側筐体１ａと可動側筐体１ｂとを有する。固定側筐体１ａと可動側筐体１ｂとは、連結部１ｃにより折り畳み自在に連結されている。固定側筐体１ａは、操作部１ｄと各種のサイドキー１ｅとを有する。可動側筐体１ｂは、表示部１ｆを有する。これら固定側筐体１ａおよび可動側筐体１ｂは、例えば、軽量で高強度のマグネシウム合金等の材料により箱形状に形成されている。
【００１８】
次に、図３を用いて、本実施例に係る携帯電話機１の内部構成について説明する。図３は、図１のＤ２矢視による要部Ｙの内部構成を示す要部拡大斜視図である。図３に示すように、固定側筐体１ａには、フロントケース１１と、細線ケーブル１３と、取付部材１４とが収納されている。
【００１９】
フロントケース１１は、図示しない基板などが収納されている。図３に示すように、フロントケース１１には、取付部材１４が挿入される通孔１２が形成されている。細線ケーブル１３は、固定側筐体１ａに収納されている基板と、可動側筐体１ｂに収納されている基板とを電気的に接続する。
【００２０】
取付部材１４は、図３に示すように、円筒状の孔である内筒部１４ａと、内径が内筒部１４ａの外径よりも大きい外筒部１４ｂとを有する。内筒部１４ａは、細線ケーブル１３が挿通され、挿通された細線ケーブル１３とともにシリコンチューブ１５によって被覆される。外筒部１４ｂは、内筒部１４ａを被覆するシリコンチューブ１５を包囲する形状に形成されている。
【００２１】
シリコンチューブ１５は、シリコンなどの防水材料で形成された防水部材である。図３に示した例では、シリコンチューブ１５は、細線ケーブル１３と、内筒部１４ａとを被覆する。このように、細線ケーブル１３は、シリコンチューブ１５に被覆されることによって、防水性を確保することができる。
【００２２】
図４は、図３のＢ２矢視によるＡ２−Ａ２線の断面図である。図４に示すように、取付部材１４は、内筒部１４ａと、外筒部１４ｂと、挿入部１４ｃとを有する。図４に示すように、内筒部１４ａは、細線ケーブル１３が挿通される。そして、細線ケーブル１３と内筒部１４ａとは、シリコンチューブ１５によって被覆される。外筒部１４ｂは、内筒部１４ａを被覆しているシリコンチューブ１５の一部または全部を包囲する形状に形成されている。
【００２３】
挿入部１４ｃは、フロントケース１１の通孔１２に挿入されている。具体的には、挿入部１４ｃは、Ｏリング１６が嵌入される嵌入凹部１４ｄが形成されている。そして、挿入部１４ｃは、嵌入凹部１４ｄにＯリング１６が嵌入された状態で通孔１２に圧入されることにより、フロントケース１１に取り付けられる。このように、Ｏリング１６は、挿入部１４ｃに嵌入された状態で通孔１２に圧入されることにより、通孔１２を水密に塞ぐ。これにより、通孔１２から固定側筐体１ａ内に水が浸入することを防ぐことができる。
【００２４】
また、上述した取付部材１４は、フロントケース１１に取り付けられる際に、外筒部１４ｂの挟持面１４ｅがピンセット等の圧入器具によって挟持された状態で通孔１２に圧入される。このように、本実施例における取付部材１４は、フロントケース１１に取り付けられる場合に、外筒部１４ｂの挟持面１４ｅが圧入器具によって挟持されるので、図１０に示した従来例のようにシリコンチューブ１５が圧入器具によって挟持されることはない。このため、本実施例に係る携帯電話機１は、取付部材１４がフロントケース１１に取り付けられる場合に、シリコンチューブ１５が破損してしまうことを防止することができる。
【００２５】
次に、図５および図６を用いて、本実施例における取付部材１４について詳細に説明する。図５は、本実施例における取付部材１４の外観斜視図である。図６は、本実施例における取付部材１４の拡大図である。なお、図６の左側は、図５のＤ１矢視による取付部材１４の正面図である。また、図６の中央は、図５のＤ２矢視による取付部材１４の側面図である。また、図６の右側は、図６のＢ３矢視によるＡ３−Ａ３線の断面図である。
【００２６】
図５および図６に示すように、本実施例における取付部材１４は、内筒部１４ａと、外筒部１４ｂと、挿入部１４ｃとを有する。内筒部１４ａは、細線ケーブル１３が圧入される貫通穴１４ｆが形成されている。かかる内筒部１４ａは、貫通穴１４ｆに細線ケーブル１３が圧入された状態で、細線ケーブル１３とともにシリコンチューブ１５によって被覆される。
【００２７】
外筒部１４ｂは、内筒部１４ａの外径よりも大きい径の筒型に形成されている。具体的には、外筒部１４ｂは、内筒部１４ａを被覆するシリコンチューブ１５を包囲する形状に形成されている。なお、外筒部１４ｂの外周面は、通孔１２に圧入される際に圧入器具によって挟持される挟持面１４ｅに該当する。
【００２８】
挿入部１４ｃは、図６の右側に示すように、Ｏリング１６が嵌入される嵌入凹部１４ｄを有する。挿入部１４ｃは、Ｏリング１６が嵌入された状態で通孔１２に圧入されることにより、フロントケース１１に取り付けられる。
【００２９】
次に、図３、図４および図７を用いて、取付部材１４がフロントケース１１に取り付けられる手順について説明する。図７は、取付部材１４とシリコンチューブ１５とＯリング１６との接続手順を説明するための図である。
【００３０】
（１）まず、取付部材１４の内筒部１４ａに細線ケーブル１３を挿入する。このとき、細線ケーブル１３を内筒部１４ａに圧入することにより、細線ケーブル１３を取付部材１４に取り付ける。
【００３１】
（２）次いで、図７に示すように、細線ケーブル１３と取付部材１４とにシリコンチューブ１５を取り付ける。このとき、取付部材１４に取り付けられた細線ケーブル１３と、取付部材１４の内筒部１４ａとに、シリコンチューブ１５を被覆する。
【００３２】
（３）次いで、図７に示すように、取付部材１４にＯリング１６を取り付ける。具体的には、挿入部１４ｃの嵌入凹部１４ｄにＯリング１６を嵌入する。なお、上述した（１）および（２）における手順より先に（３）における手順を行ってもよい。
【００３３】
（４）次いで、フロントケース１１の通孔１２に、細線ケーブル１３、シリコンチューブ１５およびＯリング１６が取り付けられた取付部材１４を挿入する。具体的には、外筒部１４ｂの挟持面１４ｅをピンセット等の圧入器具によって挟持した状態で、取付部材１４を通孔１２へ圧入する。この結果、通孔１２の内壁面と、Ｏリング１６とが係合することにより、取付部材１４は、フロントケース１１の通孔１２に取り付けられる。
【００３４】
上述してきたように、本実施例に係る携帯電話機１は、細線ケーブル１３を被覆する防水材料のシリコンチューブ１５が挿通され、シリコンチューブ１５を包囲する外筒部１４ｂを有する取付部材１４が用いられる。そして、本実施例に係る携帯電話機１は、かかる取付部材１４がフロントケース１１の通孔１２に挿入されることにより、細線ケーブル１３は、固定側筐体１ａに収納されている基板と、可動側筐体１ｂに収納されている基板とを接続する。
【００３５】
これにより、本実施例に係る携帯電話機１は、細線ケーブル１３が取り付けられた取付部材１４がフロントケース１１の通孔１２に圧入される際に、外筒部１４ｂの挟持面１４ｅが圧入器具によって挟持されることになる。言い換えれば、本実施例における取付部材１４は、シリコンチューブ１５が圧入器具によって挟持されずに、外筒部１４ｂの挟持面１４ｅが圧入器具によって挟持されて、フロントケース１１の通孔１２に取り付けられる。この結果、本実施例に係る携帯電話機１は、細線ケーブル１３を被覆するシリコンチューブ１５が破損してしまうことを防止することができる。したがって、本実施例に係る携帯電話機１は、シリコンチューブ１５が破損してしまうことを防止することができるので、細線ケーブル１３や、固定側筐体１ａ内の基板、可動側筐体１ｂ内の基板に液体が浸入することを防止することができる。
【００３６】
また、本実施例における取付部材１４は、細線ケーブル１３が挿通され、かかる細線ケーブル１３とともにシリコンチューブ１５によって被覆される内筒部１４ａを有する。さらに、取付部材１４は、内筒部１４ａを被覆するシリコンチューブ１５を包囲する外筒部１４ｂを有する。
【００３７】
これにより、本実施例に係る携帯電話機１は、細線ケーブル１３が圧入された取付部材１４から固定側筐体１ａ内の基板、可動側筐体１ｂ内の基板に液体が浸入することを防止することができる。
【００３８】
また、本実施例における取付部材１４は、フロントケース１１の通孔１２に挿入され、環型の密封部材であるＯリング１６が嵌入される嵌入凹部１４ｄが形成された挿入部１４ｃを有する。
【００３９】
これにより、本実施例に係る携帯電話機１は、フロントケース１１の通孔１２に挿入された取付部材１４から固定側筐体１ａ内の基板、可動側筐体１ｂ内の基板に液体が浸入することを防止することができる。
【００４０】
（他の実施例）
さて、本願の開示する携帯端末装置の実施例について説明したが、本願の開示する携帯端末装置は上述した実施例以外にも、種々の異なる実施例にて実施することもできる。
【００４１】
すなわち、本実施例では、固定側筐体１ａと可動側筐体１ｂとを有する開閉型の携帯端末装置を例に挙げて説明したが、本願の開示する携帯端末装置は、開閉型以外の携帯端末装置にも適用することができる。例えば、本願の開示する携帯端末装置は、スライド方式や平面回転方式の連結部によって固定側筐体に対して可動側筐体を可動自在とした携帯電話機にも同様に適用することができる。
【００４２】
また、本実施例では、携帯端末装置としての携帯電話機への適用例を説明したが、本願の開示する携帯端末装置は、これに限定されるものではない。例えば、本願の開示する携帯端末装置は、ＰＤＡのような小型情報処理端末、小型音楽再生装置、携帯テレビ、携帯型ゲーム機等の他の各種携帯端末装置にも適用することができる。
【符号の説明】
【００４３】
１  携帯電話機
１ａ  固定側筐体
１ｂ  可動側筐体
１ｃ  連結部
１ｄ  操作部
１ｅ  サイドキー
１ｆ  表示部
９  携帯電話機
９ａ  固定側筐体
９ｂ  可動側筐体
９ｃ  連結部
１１  フロントケース
１２  通孔
１３  細線ケーブル
１４  取付部材
１４ａ  内筒部
１４ｂ  外筒部
１４ｃ  挿入部
１４ｄ  嵌入凹部
１４ｅ  挟持面
１４ｆ  貫通穴
１５  シリコンチューブ
１６  Ｏリング
９１  フロントケース
９２  通孔
９３  細線ケーブル
９４  取付部材
９５  シリコンチューブ
９６  Ｏリング
９７  保護テープ
【図１】
2011055296.tif 000003
【図２】
2011055296.tif 000004
【図３】
2011055296.tif 000005
【図４】
2011055296.tif 000006
【図５】
2011055296.tif 000007
【図６】
2011055296.tif 000008
【図７】
2011055296.tif 000009
【図８】
2011055296.tif 000010
【図９】
2011055296.tif 000011
【図１０】
2011055296.tif 000012